(57)【要約】【課題】屋外から屋内に挿入される針金の操作によって解錠されることがない安全性に優れたドア錠を提供することである。【解決手段】デッドボルト４を進退させる回転可能に支持されたターン軸２２の端部にカバー２４を回転自在に嵌合する。カバー２４の外周に設けられた釦挿入孔３５に押釦３６を組込むと共にカバー２４の内部にその押釦３６を外側方に向けて押圧するスプリング３９を組込む。押釦３６に突片３８を設け、ターン軸２２の外周には複数の回り止め溝４２を形成する。押釦３６の押し込みにより回り止め溝４２の１つに突片３８を嵌合させてターン軸２２にカバー２４を回り止めする操作と、押釦３６を押し込み状態に保持してカバー２４を回転させる操作の二つの操作によりドア錠を施、解錠させるようにして安全性を確保する。【選択図】  図３
2004339704.tif 000002
【特許請求の範囲】
【請求項１】
錠ケースの側板より外側方に突出する軸受によってターン軸を回転自在に支持し、そのターン軸の回転によってデッドボルトを進退動させるようにしたドア錠において、前記ターン軸の軸受端面より外側方に突出する端部にカバーを回転自在に嵌合し、そのカバーの外周に形成された釦挿入孔内に押釦をスライド自在に組込み、カバーの内部には前記押釦を外側方に押圧する弾性体を設け、前記押釦とターン軸の相互間に、押釦の押し込みによってカバーをターン軸に回り止めする回り止め機構を設けたことを特徴とするドア錠。
【請求項２】
前記回り止め機構が、押釦に設けられた突片と、ターン軸の外周に設けられた複数の回り止め溝とから成り、前記押釦の押し込みにより複数の回り止め溝の１つに突片を嵌合させてターン軸にカバーを回り止めするようにした請求項１に記載のドア錠。
【請求項３】
前記軸受のターン軸が挿入される軸挿入孔の内周に、前記押釦が外側方に押圧される状態でその押釦の突片が嵌合される複数の回り止め溝を周方向に間隔をおいて形成した請求項２に記載のドア錠。
【請求項４】
前記カバーの端面に嵌合孔を設け、その嵌合孔内に回転自在に組込まれた表示板をターン軸に回り止めし、その表示板にロックおよびロック解除を表示する表示部を設けた請求項１乃至３のいずれかに記載のドア錠。
【請求項５】
前記表示部が直線溝から成る請求項４に記載のドア錠。
【発明の詳細な説明】
【０００１】
【発明の属する技術分野】
この発明は、ドアを閉鎖位置でロックするドア錠に関するものである。
【０００２】
【従来の技術】
この種のドア錠として、シリンダ錠とサムターンを有し、前記シリンダ錠のキー溝に挿入されるキーの回転操作、または、サムターンの回転操作によりデッドボルトを施錠位置と解錠位置との間で進退させるようにしたものが従来から知られている。
【０００３】
【発明が解決しようとする課題】
ところで、サムターンを有するドア錠においては、サムターンが扁平な板状であるため、ドリルによってドアに貫通孔を形成し、その貫通孔に針金を挿入し、針金の先端に設けられた折曲片をサムターンに係合させて針金を引くことによりサムターンが回転されてドア錠が解錠されるおそれがあり、安全性に問題がある。
【０００４】
そのような問題点を解決するには、サムターンを着脱可能なカバーで覆い、あるいは、サムターンを円形にして針金が係合されないようにすることがきわめて有効であるが、カバーを取付ける安全装置においては、カバーをつけ忘れする場合があり、一方、サムターンを円形にする安全装置においては、サムターンの回転時に滑りが生じ、操作性が悪くなるという不都合が生じる。
【０００５】
この発明の課題は、屋外から屋内に挿入される針金によって解錠操作されるのを確実に防止することができるようにした安全性に優れたドア錠を提供することである。
【０００６】
【課題を解決するための手段】
上記の課題を解決するために、この発明においては、錠ケースの側板より外側方に突出する軸受によってターン軸を回転自在に支持し、そのターン軸の回転によってデッドボルトを進退動させるようにしたドア錠において、前記ターン軸の軸受端面より外側方に突出する端部にカバーを回転自在に嵌合し、そのカバーの外周に形成された釦挿入孔内に押釦をスライド自在に組込み、カバーの内部には前記押釦を外側方に押圧する弾性体を設け、前記押釦とターン軸の相互間に、押釦の押し込みによってカバーをターン軸に回り止めする回り止め機構を設けた構成を採用したのである。
【０００７】
上記のように構成すれば、デッドボルトを進退させるターン軸の回転操作には、押釦の押し込み操作と、押し込み状態を保持する状態でカバーを回転させる操作の二つの操作を必要とする。このため、屋外から屋内に挿入される針金によって上記二つの操作を行なわせることは不可能であり、ドア錠がいたずらに解錠されるのを防止することができ、安全性に優れたドア錠を得ることができる。
【０００８】
この発明に係るドア錠において、回り止め機構として、押釦に設けられた突片と、ターン軸の外周に設けられた複数の回り止め溝とから成り、前記押釦の押し込みにより複数の回り止め溝の１つに突片を嵌合させてターン軸にカバーを回り止めするようにした構成のものを採用することができる。
【０００９】
上記のような回り止め機構の採用において、軸受のターン軸が挿入される軸挿入孔の内周に、前記押釦が外側方に押圧される状態でその押釦の突片が嵌合される複数の回り止め溝を周方向に間隔をおいて形成することにより、押釦の押し込み解除状態で突片と軸受側の回り止め溝の係合によってカバーを回転不能な状態に保持することができるため、ドア錠の安全性をさらに高めることができると共に、ターン軸に設けられた回り止め溝と押釦に設けられた突片の相対的な位置関係を一定に保ち、押釦を押し込むことにより突片はターン軸の回り止め溝に嵌合するため操作性の向上を図ることができる。
【００１０】
ここで、前記カバーの端面に嵌合孔を設け、その嵌合孔内に回転自在に組込まれた表示板をターン軸に回り止めし、その表示板にロックおよびロック解除を表示する表示部を設けることによって、ターン軸が回転すると表示板も共に回転し、その表示板に設けられた表示部を目視することによってデッドボルトが解錠位置にあるかどうかを確認することができる。
【００１１】
ここで、表示部を直線溝とすると、その直線溝にドライバやコインを係合して回転させることにより、ターン軸を回転させることができるため、回り止め機構等の各部品の破損によってカバーの回転により施解錠することができない場合でもドア錠を施解錠することができる。
【００１２】
【発明の実施の形態】
以下、この発明の実施の形態を図面に基づいて説明する。図１および図２にしめすように、角形の錠ケース１はフロントプレート２を有し、そのフロントプレート２に一対のボルト挿入孔３ａ、３ｂが上下に設けられ、上側のボルト挿入孔３ａにデッドボルト４が挿入され、下側のボルト挿入孔３ｂにラッチボルト５が挿入されている。
【００１３】
錠ケース１は、ドアＡの開閉側端面に形成された図示省略の凹部内に嵌合され、フロントプレート２の上下部に挿通されたねじ６の締付けによってドアＡに固定される。
【００１４】
一方、ドア枠Ｂのたて枠ｂには、フロントプレート２と対応位置に箱形の受金具Ｃが取付けられ、その受金具Ｃの開口部に設けられたストライクＤにデッドボルト４およびラッチボルト５が係合可能な係合孔ｄが設けられている。
【００１５】
ラッチボルト５は錠ケース１の下部に支持されてドアＡの屋外側面および屋内側面に配置される操作レバー７の揺動操作によってボルト挿入孔３ｂから出没される。
【００１６】
図３に示すように、錠ケース１の内側上部にはシリンダカム８が設けられている。シリンダカム８は定位置にて回転自在に支持され、その外周には図４（Ｉ）、（ＩＩ）および図１の破線で示すように押圧レバー９が設けられている。押圧レバー９の先端部はデッドボルト４の後端上部に形成された突出部１０とデッドボルト４の後端部にもうけられたコの字形連動枠１１の端板１１ａ間に臨み、シリンダカム８が図１の矢印方向に回転したとき、突出部１０が押圧レバー９で押されてデッドボルト４が前進し、デッドボルト４の先端部が係合孔ｄに係合する。
【００１７】
一方、シリンダカム８が図１の矢印で示す方向と逆方向に回転すると、連動枠１１の端板１１ａが押圧レバー９で押されてデッドボルト４が後退し、先端部が係合孔ｄから抜け出すようになっており、シリンダカム８の回転に連動してデッドボルト４が所定ストローク進退するようになっている。
【００１８】
ここで、デッドボルト４の先端部が係合孔ｄに係合する前進位置が施錠位置であって、ドアＡを閉鎖位置でロックする。一方、デッドボルト４の先端部が係合孔ｄから抜け出した後退位置が解錠位置であり、操作レバー７を操作することによってドアＡを開閉し得るようになっている。
【００１９】
図３および図４に示すように、シリンダカム８は一対の端板８ａを有し、各端板８ａに形成された係合孔１２の内周に一対の突出部１３が１８０°の間隔をおいて設けられている。
【００２０】
図３に示すように、錠ケース１の一側上部には錠ホルダ１４が設けられ、又、錠ケース１の他側上部には軸受１５が設けられている。
【００２１】
錠ホルダ１４は、その一端部が錠ケース１の一方の側板１ａに形成された嵌合孔１６から内部に臨む状態で錠ケース１に連結されている。この錠ホルダ１４にはシリンダ錠１７が支持され、そのシリンダ錠１７の後端部に設けられた板片状のトルク伝達片１８がシリンダカム８に形成された一方の係合孔１２内に挿入されている。
【００２２】
シリンダ錠１７は図示省略したキー溝を有し、そのキー溝内に挿入される操作キーの回動操作により回転され、その回転がトルク伝達片１８を介してシリンダカム８に伝達される。
【００２３】
軸受１５の後端部には連結部材１９がねじの締め付けによって連結されている。連結部材１９は錠ケース１の他方の側板１ｂに形成された嵌合孔２０内に挿入されて錠ケース１に固定されている。
【００２４】
軸受１５と連結部材１９にはその両部材を貫通するようにして軸挿入孔２１が形成され、その軸挿入孔２１内にターン軸２２が挿入されて回転自在に支持されている。
【００２５】
ターン軸２２は、断面十字形の係合軸部２３を一端部に有し、その係合軸部２３は図４（ＩＩ）に示すように、シリンダカム８の他方の係合孔１２に挿入されて突出部１３と係合している。このため、ターン軸２２が回転すると、シリンダカム８も回転するようになっている。
【００２６】
ターン軸２２の他端部には回転操作用のカバー２４が嵌合されている。カバー２４は、カバー本体２５、ガイドブロック２６および接続筒２７から成り、前記カバー本体２５には軸受１５側の端面において開口する角形の空間２８が設けられ、その空間２８内にガイドブロック２６が組込まれている。
【００２７】
図５に示すように、ガイドブロック２６は両側に突条２９を有し、その突条２９が空間２８の両側に形成されたガイド溝３０内に挿入されて、ガイドブロック２６が空間２８内において移動するのを防止している。また、ガイドブロック２６にはターン軸２２の端部を支持する支持孔３１が設けられている。
【００２８】
図３に示すように、接続筒２７はフランジ３２を端部に有し、そのフランジ３２がカバー本体２５の軸受１５側の端面に衝合され、ねじの締付けによってカバー本体２５に連結されている。
【００２９】
接続筒２７はターン軸２２に回転自在に嵌合され、そのターン軸２２に設けられたフランジ２２ａによって抜け止めされている。
【００３０】
図３および図７に示すように、カバー本体２５には円筒形外面３３が形成され、その円筒形外面３３に複数の指先係合凹部３４が設けられている。また、カバー本体２５には、外周上部の指先係合凹部３４の底面から内部の空間２８に貫通する釦挿入孔３５が形成され、その釦挿入孔３５内に半球状の押釦３６がスライド自在に挿入されている。
【００３１】
押釦３６はカバー本体２５の空間２８内においてスライド可能な角形の台座３７を有し、その台座３７の外周一側面に突片３８が設けられている。
【００３２】
押釦３６は、台座３７とガイドブロック２６間に組込まれた弾性体としてのスプリング３９によって外方向への突出性が付与されている。
【００３３】
図３および図６に示すように、接続筒２７には押釦３６の突片３８が挿入される挿入孔４０が設けられ、一方、軸受１５の上記接続筒２７が挿入された孔部２１ａの内周に４本の回り止め溝４１が９０°の間隔をおいて形成されている。
【００３４】
また、ターン軸２２の外周には、接続筒２７が嵌合された部分の外周に４本の回り止め溝４２が９０°の間隔をおいて設けられている。
【００３５】
押釦３６の突片３８は、その押釦３６がスプリング３９によって外方向に押圧される状態で接続筒２７の挿入孔４０と軸受１５の一つの回り止め溝４１に嵌合し、その嵌合によってカバー２４は軸受１５に回り止めされる。
【００３６】
また、押釦３６を押し込むと、突片３８は挿入孔４０とターン軸２２の一つの回り止め溝４２に嵌合し、その嵌合によってカバー２４はターン軸２２に回り止めされる。
【００３７】
図３に示すように、カバー本体２５の端面には円形の嵌合孔４３が形成され、その嵌合孔４３内に円形の表示板４４が回転自在に組込まれている。表示板４４はターン軸２２の端面に回り止めされてターン軸２２と共に回転し、その表示板４４の表面に直線溝から成る表示部４５が設けられている。
【００３８】
表示部４５は図１に示すように、縦長の状態においてデッドボルト４が施錠位置にあることを示し、横長の状態においてデッドボルト４が解錠位置にあることを示している。
【００３９】
実施の形態で示すドア錠は上記の構造から成り、図１は、デッドボルト４の先端部がストライクＤの係合孔ｄに係合する施錠状態を示している。
【００４０】
ドア錠の解錠に際しては、押釦３６を押し込み、その押し込み状態を維持してカバー２４を解錠方向（図１の矢印で示す反対方向）に回転させる。
【００４１】
ここで、押釦３６を押し込むと、その押釦３６に設けられた突片３８が接続筒２７に形された挿入孔４０とターン軸２２に設けられた４本の回り止め溝４２の１つに嵌合し、その嵌合によってカバー２４がターン軸２２に回り止めされる。
【００４２】
そして、押釦３６を押し込み状態に維持してカバー２４を回転させると、ターン軸２２が回転し、その回転はシリンダカム８に伝達されてシリンダカム８も同方向に回転する。このとき、シリンダカム８に設けられた押圧レバー９が連動枠１１の端板１１ａを押圧するため、デッドボルト４が後退して先端部がストライクＤの係合孔ｄから抜け出し、ドア錠は解錠状態とされる。
【００４３】
ドア錠の解錠状態において、押釦３６の押圧を解除すると、スプリング３９の押圧により押釦３６が外方向に移動し、その押釦３６に設けられた突片３８が接続筒２７の挿入孔４０と軸受１５に設けられた４本の回り止め溝４１の１つに嵌合し、その嵌合によってカバー２４は軸受１５に対して回り止めされる。このため、カバー２４に回転力が負荷されてもカバー２４は回転せず、デッドボルト４は解錠状態に保持される。
【００４４】
ドア錠の施錠に際しては、前述と同様に、押釦３６の押し込みにより突片３８をターン軸２２の４本の回り止め溝４２の１つに嵌合させてターン軸２２にカバー２４を回り止めし、上記押釦３６の押し込みを維持する状態でカバー２４を施錠方向（図１の矢印で示す方向）に回転させる。このとき、カバー２４の回転が伝達されるシリンダカム８の押圧レバー９により突出部１０が押圧されてデッドボルト４が前進し、そのデッドボルト４の先端部がストライクＤの係合孔ｄに係合し、ドア錠が施錠状態とされる。
【００４５】
このように、ドア錠の施錠、解錠に際しては押釦３６を押し込む操作と、その押釦３６の押し込みを維持する状態でカバー２４を回転させる二つの操作を必要とする。
【００４６】
このため、ドリルによってドアに貫通孔が形成され、その貫通孔に針金が挿入されたとしても、その針金の操作によってカバー２４を回転させることができず、悪質ないたずらによってドア錠が解錠されることもなく、安全性に優れたドア錠を得ることができる。
【００４７】
また、カバー２４の回転によってターン軸２２を回転させると、そのターン軸２２に回り止めされた表示板４４が共に回転し、その表示板４４に設けられた表示部４５を目視することによってドア錠が解錠状態か施錠状態かを確認することができ、ドアＡの開閉によって施錠されているかどうかの確認の動作を不要とすることができる。
【００４８】
【発明の効果】
以上のように、この発明においては、ドア錠の施、解錠に際しては、押釦の押し込みと、その押し込みを維持する状態でカバーを回転させる２つの操作を必要とするため、屋外から屋内側に針金が挿入されてもデッドボルトと連動するターン軸を回転させることができず、安全性に優れたドア錠を得ることができる。
【００４９】
また、ターン軸に回り止めされた表示板の表示を目視することによってドア錠が施錠されているかどうかの確認を行なうことができるので、ドアの開閉により確認動作を不要とすることができる。
【図面の簡単な説明】
【図１】この発明に係るドア錠の実施の形態を示す一部切欠正面図
【図２】図１に示すドア錠の左側面図
【図３】図１に示すドア錠の要部を示す一部切欠側面図
【図４】（Ｉ）、（ＩＩ）はデッドボルトとシリンダカムとの関係を示す断面図
【図５】図３のＶ−Ｖ線に沿った断面図
【図６】図３のＶＩ−ＶＩ線に沿った断面図
【図７】図３に示す各部品の分解斜視図
【符号の説明】
１  錠ケース
４  デッドボルト
１５  軸受
２１  軸挿入孔
２２  ターン軸
２４  カバー
３５  釦挿入孔
３６  押釦
３８  突片
３９  スプリング（弾性体）
４１、４２  回り止め溝
４３  嵌合孔
４４  表示板
４５  表示部
【図１】
2004339704.tif 000003
【図２】
2004339704.tif 000004
【図３】
2004339704.tif 000005
【図４】
2004339704.tif 000006
【図５】
2004339704.tif 000007
【図６】
2004339704.tif 000008
【図７】
2004339704.tif 000009